(57)【要約】【課題】扉の回動軸心部を、郵便受け箱本体に取り付けられた当接部材に当接させて、扉を開かれた状態で保持し、開かれた扉を緩やかに閉じることができる郵便受け箱を提供する。【解決手段】郵便受け箱本体２と、郵便受け箱本体２に回動自在に取り付けられる扉３とを備え、扉３の回動軸心部６が、郵便受け箱本体２に設けられた支持部である孔部８に支持される郵便受け箱１において、回動軸心部６は扉３とともに回動する回動部材７を備えており、孔部８の近傍には、扉３が回動するとき回動部材７が当接する当接部１６と、当接部１６に隣接して設けられ回動部材７が当接部１６に当接している状態で弾性変形可能な弾性変形部２０と、当接部１６の一方側に弾性変形可能に連設され扉３が全開の状態で回動部材７を係止可能な係止部１８とが設けられた当接部材１５を備えている。【選択図】図３
0003184584.tif 000002
【実用新案登録請求の範囲】
【請求項１】
郵便受け箱本体と、
郵便受け箱本体に回動自在に取り付けられる扉とを備え、
扉の回動軸心部が、郵便受け箱本体に設けられた支持部に支持される郵便受け箱において、
回動軸心部は扉とともに回動する回動部材を備えており、
支持部の近傍には、扉が回動するとき回動部材が当接する当接部と、当接部に隣接して設けられ回動部材が当接部に当接している状態で弾性変形可能な弾性変形部と、当接部の一方側に弾性変形可能に連設され扉が全開の状態で回動部材を係止可能な係止部とが設けられた当接部材を備えていることを特徴とする郵便受け箱。
【請求項２】
弾性変形部は長円形のリング状に形成されていることを特徴とする請求項１に記載の郵便受け箱。
【請求項３】
当接部の他方側には、回動部材を全閉位置に案内する案内部が設けられていることを特徴とする請求項１または２に記載の郵便受け箱。
【考案の詳細な説明】
【技術分野】
【０００１】
本考案は、郵便受け箱に関する。
【背景技術】
【０００２】
特許文献１には、扉が緩やかに閉じられるようにするためにオイルダンパーが取り付けられた郵便受け箱が記載されている。オイルダンパーは郵便受け箱本体側に取り付けられており、歯車を介して扉の回転軸に連結されている。
郵便受け箱の扉を全開あるいは全閉の状態で保持するために、扉側の係合部が係合する係合部材が郵便受け箱本体側に設けられる。
【先行技術文献】
【特許文献】
【０００３】
【特許文献１】特開２００２−２５６７５８
【考案の概要】
【考案が解決しようとする課題】
【０００４】
特許文献１に記載の郵便受け箱では、扉を緩やかに閉じるためのオイルダンパーと扉を全開あるいは全閉の状態で保持するための係合部材とが別々に設けられており、部品点数が増加するとともにコストアップに繋がる。
【０００５】
本考案の目的は、扉の回動軸心部を、郵便受け箱本体に取り付けられた当接部材に当接させて、扉を全開の位置で保持し、開かれた扉を緩やかに閉じることができる郵便受け箱を提供することである。
【課題を解決するための手段】
【０００６】
この課題を解決するために請求項１の考案は、郵便受け箱本体と、郵便受け箱本体に回動自在に取り付けられる扉とを備え、扉の回動軸心部が、郵便受け箱本体に設けられた支持部に支持される郵便受け箱において、回動軸心部は扉とともに回動する回動部材を備えており、支持部の近傍には、扉が回動するとき回動部材が当接する当接部と、当接部に隣接して設けられ回動部材が当接部に当接している状態で弾性変形可能な弾性変形部と、当接部の一方側に弾性変形可能に連設され扉が全開の状態で回動部材を係止可能な係止部とが設けられた当接部材を備えている。
【０００７】
請求項２の考案は、弾性変形部が長円形のリング状に形成されている。
請求項３の考案では、当接部の他方側に、回動部材を全閉位置に案内する案内部が設けられている。
【考案の効果】
【０００８】
請求項１の考案によれば、扉が全開位置にあるとき、回動部材は弾性力を受けた安定した状態で当接部材の係止部に係止される。扉が閉方向に回動して、回動部材が係止部から当接部に移動すると、回動部材は弾性変形部から弾性力を受ける。回動部材には弾性変形部の弾性力にともなう摩擦力が働くので扉を緩やかに閉じることができる。
【０００９】
請求項２の考案によれば、弾性変形部は長円形のリング状に形成されているので、容易に弾性変形可能である。
請求項３の考案によれば、回動部材が当接部から案内部に乗り移ったときに回動部材が案内部から受ける摩擦力を小さくして、勢い良く扉を閉じることができる。これによって、たとえば扉に取り付けられたダイヤル錠の係合片を郵便受け箱本体の係合部に係合させることができる。
【図面の簡単な説明】
【００１０】
【図１】本考案の一実施の形態に係る郵便受け箱の斜視図である。
【図２】同扉が全開位置にある郵便受け箱の斜視図である。
【図３】同扉が閉じられる途中にある郵便受け箱の斜視図である。
【図４】同扉が全閉位置にある郵便受け箱の斜視図である。
【考案を実施するための形態】
【００１１】
本考案の一実施の形態について図１〜図４に基づいて説明する。郵便受け箱１は、郵便受け箱本体２と、郵便受け箱本体２に回動自在に取り付けられる扉３とを備えている。郵便受け箱本体２と扉３とは、たとえば樹脂成型される。扉３は、たとえば上部プレート４と下部プレート５とが連結されて形成されており、扉３の基端部には回動軸心部６が形成されている。回動軸心部６は、扇形に樹脂成型され、上部プレート４の基端部に係合される回動部材７を備えている。郵便受け箱本体２の両側壁１１には支持部である孔部８が形成されており、回動部材７は、たとえば孔部８に嵌め込まれた軸体にビス止めされる。回動部材７の外周面９には凸状の当接凸部１０が形成されている。当接凸部１０は、郵便受け箱本体２の両側壁１１の孔部８近傍に設けられた当接部材１５に当接する。
当接部材１５には、扉３が回動するとき回動部材７の当接凸部１０が当接する当接部１６が形成されている。当接部１６は、回動する当接凸部１０の軌跡に沿って略円弧状に形成されており、当接凸部１０は当接部１６の内面１７に当接する。
当接部１６の一端部には、扉３が全開位置にあるとき当接凸部１０が係止される係止部１８が連設されている。当接部１６の他端部には、扉３が全閉位置の手前から全閉位置まで回動するとき、当接凸部１０がガイドされる案内部１９が連設されている。
当接部材１５には、さらに弾性変形部２０が形成されている。弾性変形部２０は長円形のリング状に形成されており、弾性変形部２０の直線状の外周面２１が、略円弧状に形成された当接部１６の外面２３に当接している。当接部材１５は、２箇所設けられた取り付け部２２を用いて郵便受け箱本体２の両側壁１１に各々ビス止めされる。なお、扉３の下部プレート５にはダイヤル錠２４が取り付けられており、郵便受け箱本体２にはダイヤル錠２４の係合片２５が係合する係合部２６が設けられている。
【００１２】
ここで郵便受け箱１の動作について説明する。図２は、回動部材７の当接凸部１０が係止部１８に係止されて、扉３が全開の位置にある郵便受け箱１を示している。当接凸部１０が係止部１８に係止されているとき、係止部１８は当接凸部１０に押圧されて弾性変形している。当接凸部１０は、係止部１８から弾性力を受けて、係止部１８の鉤部２９に押し付けられた安定した状態で係止部１８に係止される。これによって扉３を全開位置で保持することができる。
【００１３】
使用者が係止部１８の弾性力に抗して扉３を下側に押すと、当接凸部１０は係止部１８から抜け出して当接部１６に乗り移る。当接部１６に乗り移った当接凸部１０は当接部１６を押圧し、当接部１６に当接している弾性変形部２０の直線状の外周面２１が円弧状に弾性変形する。そのときの状態を図３に示す。当接凸部１０が当接部１６に乗り移った後、扉３は自重で閉方向に回動するが、このとき当接凸部１０は当接部１６を介して弾性変形部２０の弾性力を受けており、扉３にはこの弾性力にともなう摩擦力が働く。これによって扉３を緩やかに閉方向に回動させることができる。
【００１４】
扉３がさらに閉方向に回動して、全閉位置の手前に位置すると、当接凸部１０は当接部１６から案内部１９に乗り移る。案内部１９に乗り移った当接凸部１０は案内部１９から弾性力を受けるが、この弾性力が、当接部１６から受ける弾性力よりも小さくなるように、案内部１９の形状を決めることによって、全閉位置の直前から勢いを付けて扉３を閉じることができる。これによって扉３を閉じたとき、たとえばダイヤル錠２４の係合片２５を郵便受け箱本体２の係合部２６に係合させることができる。
【００１５】
本実施の形態において、弾性変形部２０は長円形のリング状に形成されているがこれに限定されるものではなく、たとえば平板をＣ形やＶ形に折り曲げた形状のものでもよい。ダイヤル錠２４の係合片２５を郵便受け箱本体２の係合部２６に係合させるために、当接部１６の他端部に案内部１９を連設して、扉３を勢い良く閉じるようにしているが、案内部１９を設けないで扉３を緩やかに閉じることもできる。
【００１６】
なお、閉じられている扉３を開ける場合には、使用者はダイヤル錠２４を操作して、ダイヤル錠２４の係合片２５と係合部２６との係合を解除可能な状態とする。そして使用者が扉３を手前に引くと、係合片２５と係合部２６との係合が解除され、扉３は引き上げ可能な状態となる。使用者は弾性変形部２０の弾性力に抗して扉３を引き上げ、回動部材７の当接凸部１０を当接部材１５の係止部１８に係止させることができる。
【００１７】
このように、郵便受け箱本体２と、郵便受け箱本体２に回動自在に取り付けられる扉３とを備え、扉３の回動軸心部６が、郵便受け箱本体２に設けられた支持部である孔部８に支持される郵便受け箱１において、回動軸心部６は扉３とともに回動する回動部材７を備えており、孔部８の近傍には、扉３が回動するとき回動部材７が当接する当接部１６と、当接部１６に隣接して設けられ回動部材７が当接部１６に当接している状態で弾性変形可能な弾性変形部２０と、当接部１６の一方側に弾性変形可能に連設され扉３が全開の状態で回動部材７を係止可能な係止部１８とが設けられた当接部材１５を備えているので、扉３が全閉位置にあるとき、回動部材７は弾性力を受けた安定した状態で当接部材１５の係止部１８に係止される。扉３が閉方向に回動されるとき、回動部材７は、当接部材１５の当接部１６に隣接して設けられた弾性変形部２０から弾性力を受ける。扉３には弾性変形部２０の弾性力にともなう摩擦力が働くので緩やかに閉じられる。
【００１８】
さらに、弾性変形部２０が長円形のリング状に形成されているので、容易に弾性変形可能である。
さらに、当接部１６の他方側に、回動部材７を全閉位置に案内する案内部１９が設けられているので、当接部１６から案内部１９に乗り移った回動部材７が、案内部１９から受ける弾性力を小さくして、全閉位置の手前から勢いを付けて扉３を閉じることができる。これによって、たとえばダイヤル錠２４の係合片２５を郵便受け箱本体２の係合部２６に係合させることができる。
【符号の説明】
【００１９】
１    郵便受け箱
２    郵便受け箱本体
３    扉
４    上部プレート
５    下部プレート
６    回動軸心部
７    回動部材
８    孔部
９    外周面
１０    当接凸部
１１    側壁
１５    当接部材
１６    当接部
１７    内面
１８    係止部
１９    案内部
２０    弾性変形部
２１    外周面
２２    取り付け部
２３    外面
２４    ダイヤル錠
２５    係合片
２６    係合部
２９    鉤部
【図１】
0003184584.tif 000003
【図２】
0003184584.tif 000004
【図３】
0003184584.tif 000005
【図４】
0003184584.tif 000006